(57)【要約】【課題】トイレ装置を遠隔操作する場合であっても、電源のメンテナンスを不要にすることができるリモートコントローラを提供する。【解決手段】電源用基板６０には、変圧回路、整流回路及び安定化回路等を具備するＡＣ／ＤＣ変換回路が設けてあり、商用交流電源から給電される交流電源電圧から、例えば９Ｖ及び５Ｖの直流電源電圧を生成し、それらを制御用基板４０に供給するようになっている。【選択図】図５
2005192047.tif 000002
【特許請求の範囲】
【請求項１】
ユーザを洗浄する機能及び／又は便器を洗浄する機能を有し、与えられた起動信号によって前記機能が起動するトイレ装置へ起動信号を送信する送信手段と、この送信手段による起動信号の送信を制御する制御手段と、トイレ装置の起動させるべき機能を指定するスイッチとを備えるリモートコントローラにおいて、
外部交流電源線を接続する電源端子と、この電源端子に印加された交流電圧を１又は複数値の直流電圧に変換する変換手段とを備え、前記送信手段及び制御手段は、前記変換手段から出力された直流電圧で駆動するようにしてあることを特徴とするリモートコントローラ。
【請求項２】
前記変換手段は第１基板に搭載してあり、前記制御手段は第２基板に搭載してあり、第１基板及び第２基板は適宜距離を隔てて重積してある請求項１記載のリモートコントローラ。
【請求項３】
前記第１基板は、適宜距離を隔てて設けた難燃性の２壁間に配置してある請求項２記載のリモートコントローラ。
【請求項４】
前記トイレ装置の機種別に定められた複数の機種コード、及び複数の機能の別に定められた複数の機能コードが記憶された記憶手段を更に備え、
前記制御手段は、前記スイッチがオンされた場合、当該スイッチで指定された機能の機能コード及び各機種コードを前記記憶手段から読み出し、読み出した機能コード及び読み出した一の機種コードを含む起動信号を前記送信手段に送信させ、次に、読み出した機能コード及び読み出した他の機種コードを含む起動信号を前記送信手段に送信させるようにしてある請求項１から３のいずれかに記載のリモートコントローラ。
【請求項５】
前記送信手段及び制御手段を収納する筐体を備え、前記送信手段は複数の赤外線発光素子を具備し、前記筐体の両側に、横方向へ赤外線光を出射する赤外線発光素子及び上方向へ赤外線光を出射する赤外線発光素子がそれぞれ配設してある請求項１から４のいずれかに記載のリモートコントローラ。
【請求項６】
前記送信手段は、更に、起動信号を送信するための外部信号線を接続する起動信号出力端子を具備する請求項５記載のリモートコントローラ。
【発明の詳細な説明】
【技術分野】
【０００１】
本発明は、ユーザ洗浄機能及び／又は便器洗浄機能等を有するトイレ装置を遠隔操作するリモートコントローラに関する。
【背景技術】
【０００２】
便座に着座したユーザの肛門等を水洗浄する機能を有するトイレ装置が実用化されている。このようなトイレ装置は、利便性を向上させるべく始動・停止及び水勢等の動作を無線遠隔操作によって制御し得るようにしてあり、かかる遠隔操作をリモートコントローラ（以後、リモコンともいう。）によって行っている（例えば、特許文献１参照）。
【０００３】
すなわち、リモコンは厚さが比較的薄い矩形殻状の筐体を備えており、該筐体の正面に始動ボタン、停止ボタン及び水勢ボタン等が配置してある。筐体の内部には、赤外線光を発する発光素子、前記各ボタンがオンされた場合、対応する命令を出力させるべく前記発光素子による発光を制御する制御器、並びに制御器及び発光素子に給電するバッテリが配設してある。また、筐体の発光素子に対向する部分には穴が開設しあり、その周囲には、赤外線光透過性のカバー部材が外嵌してある。一方、筐体の背面には、ネジ孔が開設してあり、該ネジ孔内を挿通させたネジによって、筐体がトイレ室の壁面に固定してある。
【０００４】
【特許文献１】特開２００２−１６７８４１号公報（図１）
【発明の開示】
【発明が解決しようとする課題】
【０００５】
しかしながら、かかる従来のリモコンにあっては、電源としてバッテリを内蔵するため、バッテリを定期的に交換しなければならず、リモコンのメンテナンスが煩雑であるという問題があった。特に、ホテルにあっては、複数の客室それぞれに配置したリモコンを各別にメンテナンスする必要があるが、各リモコン毎に、内蔵したバッテリの消耗程度が異なるため、メンテナンスが更に煩雑である。
【０００６】
本発明は、斯かる事情に鑑みてなされたものであって、トイレ装置を遠隔操作する場合であっても、電源のメンテナンスを不要にすることができるリモートコントローラを提供する。
【課題を解決するための手段】
【０００７】
請求項１記載の本発明は、ユーザを洗浄する機能及び／又は便器を洗浄する機能を有し、与えられた起動信号によって前記機能が起動するトイレ装置へ起動信号を送信する送信手段と、この送信手段による起動信号の送信を制御する制御手段と、トイレ装置の起動させるべき機能を指定するスイッチとを備えるリモートコントローラにおいて、外部交流電源線を接続する電源端子と、この電源端子に印加された交流電圧を１又は複数値の直流電圧に変換する変換手段とを備え、前記送信手段及び制御手段は、前記変換手段から出力された直流電圧で駆動するようにしてあることを特徴とする。
【０００８】
請求項２記載の本発明は、前記トイレ装置の機種別に定められた複数の機種コード、及び複数の機能の別に定められた複数の機能コードが記憶された記憶手段を更に備え、前記制御手段は、前記スイッチがオンされた場合、当該スイッチで指定された機能の機能コード及び各機種コードを前記記憶手段から読み出し、読み出した機能コード及び読み出した一の機種コードを含む起動信号を前記送信手段に送信させ、次に、読み出した機能コード及び読み出した他の機種コードを含む起動信号を前記送信手段に送信させるようにしてあることを特徴とする。
【０００９】
請求項３記載の本発明は、前記変換手段は第１基板に搭載してあり、前記制御手段は第２基板に搭載してあり、第１基板及び第２基板は適宜距離を隔てて重積してあることを特徴とする。
【００１０】
請求項４記載の本発明は、前記第１基板は、適宜距離を隔てて設けた難燃性の２つの壁の間に配置してあることを特徴とする。
【００１１】
請求項５記載の本発明は、前記送信手段及び制御手段を収納する筐体を備え、前記送信手段は複数の赤外線発光素子を具備し、前記筐体の両側に、横方向へ赤外線光を出射する赤外線発光素子及び上方向へ赤外線光を出射する赤外線発光素子がそれぞれ配設してあることを特徴とする。
【００１２】
請求項６記載の本発明は、前記送信手段は、更に、起動信号を送信するための外部信号線を接続する起動信号出力端子を具備することを特徴とする。
【発明の効果】
【００１３】
請求項１記載の本発明では、ユーザを洗浄する機能及び／又は便器を洗浄する機能を有し、与えられた起動信号によって前記機能が起動するトイレ装置へ起動信号を送信する送信手段と、この送信手段による起動信号の送信を制御する制御手段と、トイレ装置の起動させるべき機能を指定するスイッチとを備えるリモートコントローラにおいて、外部交流電源線を接続する電源端子と、この電源端子に印加された交流電圧を１又は複数値の直流電圧に変換する変換手段とを備え、前記送信手段及び制御手段は、前記変換手段から出力された直流電圧で駆動するようにしてあるため、電源のメンテナンスが不要であり、複数の客室それぞれにリモートコントローラを配置する場合であっても、各リモートコントローラのメンテナンスに要する手間を可及的に低減することができる。
【００１４】
請求項２記載の本発明では、変換手段は第１基板に搭載してあり、制御手段は第２基板に搭載してあり、第１基板及び第２基板は適宜距離を隔てて重積してあるため、リモートコントローラのサイズをコンパクトにすることができる。従って、リモートコントローラの設置スペースを狭く、設置対象領域におけるデザインの統一性を図ることができる。
【００１５】
請求項３記載の本発明では、変換手段を搭載させた第１基板は、適宜距離を隔てて設けた難燃性の２つの壁の間に配置してあるため、変換手段が過熱した場合であっても、リモートコントローラの燃焼が防止され、安全性が高い。
【００１６】
請求項４記載の本発明では、トイレ装置の機種別に定められた複数の機種コード、及び複数の機能の別に定められた複数の機能コードが記憶された記憶手段を更に備え、制御手段は、前記スイッチがオンされた場合、当該スイッチで指定された機能の機能コード及び各機種コードを前記記憶手段から読み出し、読み出した機能コード及び読み出した一の機種コードを含む起動信号を前記送信手段に送信させ、次に、読み出した機能コード及び読み出した他の機種コードを含む起動信号を前記送信手段に送信させるようにしてあるため、１つのリモートコントローラで、既設の複数機種のトイレ装置に対応することができる。従って、トイレ装置の機種に拘わらず、本発明に係るリモートコントローラを設置することができる。
【００１７】
請求項５記載の本発明では、送信手段及び制御手段を収納する筐体を備え、送信手段は複数の赤外線発光素子を具備し、筐体の両側に、横方向へ赤外線光を出射する赤外線発光素子及び上方向へ赤外線光を出射する赤外線発光素子がそれぞれ配設してあるため、トイレ装置に向かって左右いずれに配設された場合、広いバスルームにトイレ装置が併設してある場合、一部に赤外線光の反射率が低い部分が存在する場合等であっても、無線でトイレ装置を確実に遠隔操作することができる。
【００１８】
請求項６記載の本発明では、送信手段は、更に、起動信号を送信するための外部信号線を接続する起動信号出力端子を具備するため、１つのリモートコントローラで、無線・有線に拘わらず種々のトイレ装置に対応することができる。
【発明を実施するための最良の形態】
【００１９】
本発明に係るリモートコントローラは、ユーザを洗浄する機能、便器を洗浄する機能、又はユーザを洗浄する機能及び便器を洗浄する機能を有するトイレ装置を遠隔操作するものであるが、かかるトイレ装置は、与えられた起動信号によって前記機能が起動するようにしてある。リモートコントローラには、外部交流電源線を接続する電源端子が設けてあり、変圧回路、整流回路及び安定化回路等を具備する変換手段によって、電源端子に印加された交流電圧を１又は複数値の直流電圧に変換する。このリモートコントローラは、トイレ装置へ起動信号を送信する送信手段と、この送信手段による起動信号の送信を制御する制御手段と、トイレ装置の起動させるべき機能を指定するスイッチとを備えており、送信手段及び制御手段は、前述した変換手段から出力された直流電圧で駆動するようにしてある。
【００２０】
また、前述した変換手段は第１基板に搭載してあり、制御手段は第２基板に搭載してあり、第１基板及び第２基板は適宜距離を隔てて重積してある。これによって、リモートコントローラをコンパクトにすることができる。
【００２１】
この第１基板は、適宜距離を隔てて設けた難燃性の２つの壁の間に配置してある。かかる壁は、板状部材であってもよいし、両基板を収納する筐体の第１基板と対向する部分であってもよい。
【００２２】
一方、本発明では、トイレ装置の機種別に定められた複数の機種コード、及び複数の機能の別に定められた複数の機能コードが記憶された記憶手段を更に備えている。そして、制御手段は、スイッチがオンされた場合、当該スイッチで指定された機能の機能コード及び各機種コードを記憶手段から読み出し、読み出した機能コード及び読み出した一の機種コードを含む起動信号を前記送信手段に送信させ、次に、読み出した機能コード及び読み出した他の機種コードを含む起動信号を前記送信手段に送信させるようにしてある。これは、一の機種コードを含む起動信号を複数回送信させ、それに続けて他の機種コードを含む起動信号を複数回送信させるようにしてもよし、交互に複数回送信させるようにしてもよい。
【００２３】
また、本発明は、送信手段及び制御手段を収納する筐体を備え、送信手段は複数の赤外線発光素子を具備している。そして、筐体の両側に、横方向へ赤外線光を出射する赤外線発光素子及び上方向へ赤外線光を出射する赤外線発光素子がそれぞれ配設してある。
【００２４】
更に、前述した送信手段には、起動信号を送信するための外部信号線を接続する起動信号出力端子が設けてある。
【００２５】
以下、本発明に係る実施例を図面に基づいて詳述する。
【実施例１】
【００２６】
図１は、本発明に係るリモートコントローラの正面図であり、図２は、図１に示したリモートコントローラの設置例を示す一部破断側面図であり、図３は、図１に示したリモートコントローラの分解斜視図である。図２に示した如く、本実施例に係るリモートコントローラ（以後、リモコンともいう）１は、トイレ装置を備えるトイレ３００の近傍の壁に、その後側部を埋設するように取り付けてある。このトイレ装置は、起動命令を受信した場合に便座に着座したユーザの肛門等を水洗浄する機能、及び起動命令を受信した場合に便器内を水洗浄する機能を有しており、図１に示した如く、リモコン１は、かかるトイレ装置を遠隔操作すべく、おしり・ビデの洗浄、洗浄停止、洗浄時の水勢の増減、及び便器内洗浄の流すの命令を入力し得るようにしてある。
【００２７】
リモコン１は、図２に示した如く、ペーパーホルダー４００の幅寸法と同じ幅寸法（１６５ｍｍ）にしてあり、例えば、ペーパーホルダー４００の上方にペーパーホルダー４００と一列に配設することによって、ユーザに幾何学的な統一感を与えることができるようにしてある。
【００２８】
図１及び図３に示した如く、リモコン１は、赤外線光を発する発光素子、該発光素子の発光を制御する制御基板等を内蔵し、正面視が横長長方形の本体３と、該本体３の前面に着脱可能に取り付けた前面カバー２とを備えており、適宜材料を用いると共に適宜デザインを施した前面カバー２を本体３に取り付けることによって、例えば、リモコンを据え付ける室の内装との統一性を図ることができる。
【００２９】
図４は、図３に示した前面カバー２の構成を示す分解斜視図であり、図中、２０は、樹脂製のカバー本体である。カバー本体２０は、横長長方形板状部材の上下両長辺側縁部を背面側へそれぞれ起立させて、図１に示した本体３に外嵌係合させる係合部２４，２４を設けてなり、カバー本体２０には、後述する複数のキートップを挿入させる複数の開口２１，２１，…及び通光用の複数の第１通光孔２２，２２，…が開設してある。
【００３０】
また、下側の係合部２４には、例えば２つのネジ孔が開設してあり、両ネジ孔を挿通させた六角穴付きボルト１５，１５を、前述した本体３（図３参照）に羅入させることによって、前面カバー２を本体３に固定するようになっている。これによって、前面カバー２をユーザが容易に取り外すことを防止することができ、ホテル等に設置した場合に好適である。
【００３１】
このカバー本体２０の前面には、当該前面と略同じ外寸の板状のネームプレート１９が貼着してある。ネームプレート１９のカバー本体２０の開口２１，２１，…及び第１通光孔２２，２２，…に対向する部分には、各開口２１，２１，…及び第１通光孔２２，２２，…と同じ寸法の開口及び通光孔がそれぞれ開設してあり、ネームプレート１９の前面であって、各開口の近傍には、後述する各スイッチの機能を説明する文字、点字等が表示してある。
【００３２】
カバー本体２０の後面には、枠体１８ａに複数の第１キートップ１７，１７，…が進退自在に支持されたキートップセット１８が、各第１キートップ１７，１７，…を前記カバー本体２０の開口２１，２１，…内に挿入させた様態で配置してあり、第１キートップセット１８はカバー本体２０にネジ止めされた金属板製のカバーフレーム１６によってカバー本体２０との間に挟持固定されている。このカバーフレーム１６にも、前述したカバー本体２０の開口２１，２１，…及び第１通光孔２２，２２，…に対応して複数の開口及び通光孔が開設してあり、カバーフレーム１６によってカバー本体２０の反りが是正されて前面カバー２が平坦に維持されると共に、第１キートップセット１８に設けられた各第１キートップ１７，１７，…の進入が所定寸法に制限される。これによって、各第１キートップ１７，１７，…のストローク長が規定され、各第１キートップ１７，１７，…に対向配置された後述する各スイッチが、過大な押力によって破損することが防止される。
【００３３】
図５は、図３に示した本体３の構成を示す分解斜視図であり、図中、７０は、前述した前面カバー２より少し小さい前側開口部７１を設けてなる起立箱状の後ケース、また、３０は、この前側開口部７１を塞止するように後ケース７０に水密状態に融着固定される前ケースである。難燃樹脂製の後ケース７０は、前側開口部７１に臨む略矩形凹状の収納部７７を備えている。後ケース７０の前側開口部７１の周囲は、板枠状のフランジ部７３にしてあり、該フランジ部７３の両側部分の幅寸法は、フランジ部７３の上下部分の幅寸法より大きくしてある。
【００３４】
このフランジ部７３の両側部分の上縁近傍には、本体３を設置位置に固定するためのネジ孔７６，７６が開設してある。また、収納部７７の底部７７ａの適宜位置には半円筒状の凸部７４が設けてあり、該凸部７４の前面には、本体３を設置位置に固定するためのネジ孔７６が開設してある。一方、収納部７７の底部７７ａには、電源線を引き込むための引き込み孔７５が、前記凸部７４と異なる適宜位置に開設してある。
【００３５】
前ケース３０は、前述した前面カバー２と略同じ寸法の前ケース本体３１の両側に、前述したカバー本体２０の係合部２４（共に図４参照）の奥行き寸法と略同じ高さ寸法であり、後側開口部を有する縦長箱状に赤外線透過性樹脂を成型してなる光透過性ケース部３５，３５が前ケース本体３１と一体的に設けてある。これによって、前ケース３０の防水性が向上する。前ケース本体３１の上下縁部であって前述したネジ孔７６，７６，７６に対向する部分にはそれぞれ、切り欠き３４，３４，３４が設けてある。また、前ケース本体３１の上下縁部には、前述したカバー本体２０の係合部２４，２４が係合するリブ状の受部３１ａ，３１ａが突設してあり、下縁側の受部３１ａには、前面カバー２をネジ止めするためのネジ孔が開設してある。
【００３６】
前ケース本体３１の前述したキートップセット１８の各第１キートップ１７，１７，…（いずれも図３参照）に対向する部分には、第１キートップ１７，１７，…より少し小さいサイズの第２キートップ３２，３２，…が進退自在に設けてあり、前述したカバー本体２０の第１通光孔２２，２２，…（図３参照）に対向する部分には第２通光孔３６，３６，…が開設してある。
【００３７】
一方、前ケース本体３１の第２キートップ３２，３２，…とは異なる一側近傍の位置には、複数の環状溝部を同心円上に配置した台座部３３が設けてあり、該台座部３３の中心には貫通孔が開設してある。そして、この貫通孔を介して後述する如く、前ケース本体３１に円形屋根状の第３キートップ３８が進退及び揺動可能に取り付けてある。
【００３８】
前ケース本体３１の前面には、第２キートップ３２，３２，…に対応する凸部を設けてなり、第２キートップ３２，３２，…及び第２通光孔３６，３６，…を覆う防水可撓性の表面シート３７が水密状態に貼着してあり、これによって、第２キートップ３２，３２，…の周囲及び第２通光孔３６，３６，…から本体３の内部への水の浸入を防止している。
【００３９】
ところで、前述した後ケース７０内には、制御用基板（第２基板）４０及び電源用基板（第１基板）６０が後ケース７０の前側開口部７１側からこの順に重積してあり、制御用基板４０と電源用基板６０との間には、難燃性の絶縁カバー５０が介装してある。制御用基板４０の前記第２キートップ３２，３２，…に対向する部分にはそれぞれ、第１タクトスイッチ４３，４３，…が搭載してあり、第１タクトスイッチ４３，４３，…のオン信号は後述するＣＰＵに与えられるようになっている。本実施例では、おしりの水洗浄を開始するための第１タクトスイッチ４３、ビデを開始するための第１タクトスイッチ４３、おしりの水洗浄及びビデを停止するための第１タクトスイッチ４３、おしりの水洗浄及びビデの水勢を増加するための第１タクトスイッチ４３、及びおしりの水洗浄及びビデの水勢を減少させるための第１タクトスイッチ４３が設けてある。
【００４０】
また、制御用基板４０の前記第２通光孔３６，３６，…に対向する部分にはそれぞれ、ＬＥＤ等の発光素子４５，４５，…が搭載してあり、前記ＣＰＵは、現在の水勢に対応する位置の発光素子４５を発光させるようになっている。
【００４１】
一方、制御用基板４０の前記第３キートップ３８に対向する部分は、他の部分より一段低くしてあり、該部分の中央に第２タクトスイッチ４４が搭載してある。制御用基板４０の第２タクトスイッチ４４の周囲には、環状のスペーサ４７が取り付けてあり、該スペーサ４７と前述した前ケース３０の台座部３３との間には、シリコンゴムを側断面視が略凸形状に成型してなり、スペーサ４７の開口部を水密状態に塞止するシール部材４６が介装してある。
【００４２】
図６は、図１に示したリモコンの第１キートップ部分の部分縦断面図である。なお、図中、図１から図４に示した各部分に対応する部分には同じ番号を付してある。図６に示した如く、本体３に内蔵された制御用基板４０上に搭載された第１タクトスイッチ４３，４３，…は、前ケース３０に進退自在に支持された第２キートップ３２，３２，…に対向しており、第２キートップ３２，３２，…の周囲は、前述した如く防水可撓性の表面シート３７で水密状態に覆ってある。前ケース３０に取り付けた前面カバー２にはカバー本体２０に進退自在に支持された第１キートップ１７，１７，…が前記第２キートップ３２，３２，…に対向配置してあり、ユーザから加えられた押力によっていずれかの第１キートップ１７が後退すると、この第１キートップ１７によって対向する表面シート３７を介して第２キートップ３２が後退し、対応する第１タクトスイッチ４３がオンされる。このとき、第２キートップ３２，３２，…の周囲が防水可撓性の表面シート３７で水密状態に覆ってあるため、第２キートップ３２，３２，…の周囲から本体３内部への水の浸入が防止される。
【００４３】
図７は、図１に示したリモコンの第３キートップ部分の部分縦断面図である。なお、図中、図１から図４に示した部分に対応する部分には同じ番号を付してある。図７に示した如く、本体３に内蔵された制御用基板４０上の第２タクトスイッチ４４の周囲は、環状のスペーサ４７及び該スペーサ４７の開口部を塞止するシール部材４６によって覆ってある。シール部材４６は、有底起立筒状のキャップ部４６ａの開口縁部に環状のフランジ部４６ｂを立設してなり、キャップ部４６ａ内に第２タクトスイッチ４４が内装してある。キャップ部４６ａの前記台座部３３に対向する部分には、環状の案内部４６ｄがキャップ部４６ａと同心円上に設けてあり、該案内部４６ｄ内に、前記台座部３３に開設した貫通孔の直径より大きい直径を有する固定ピン３９の頭部が挿嵌してある。固定ピン３９の脚部は、前記貫通孔を貫通して前ケース３０の前側へ突出させてあり、固定ピン３９の脚部の突出部分に第３キートップ３８が固定してある。また、前述したシール部材４６のフランジ部４６ｂの台座部３３に対向する部分には、環状のディップ部４６ｃが突設してあり、該ディップ部４６ｃは、台座部３３に設けた溝部３３ａ内に嵌合してある。シール部材４６のフランジ部４６ｂはスペーサ４７と台座部３３との間に水密状態に挟持されており、これによって台座部３３の貫通孔から流入した水が制御用基板４０上へ浸入することが防止される。
【００４４】
ユーザから加えられた押力によって第３キートップ３８及び固定ピン３９が後退すると、シール部材４６のキャップ部４６ａがこれに当接した固定ピン３９によって変形収縮すると共に、第２タクトスイッチ４４がオンされる。このとき、シール部材４６のディップ部４６ｃが台座部３３の溝部３３ａ内に嵌合しているため、キャップ部４６ａが変形収縮した場合であっても、水密状態が保たれる。
【００４５】
なお、図６に示した如く、第３キートップ３８のストローク長は、台座部３３に設けた環状溝の深さによって規定されており、これによって、第３キートップ３８に過大な押力が加えられた場合であっても、第２タクトスイッチ４４が破損することが防止される。
【００４６】
一方、図５に示した如く、制御用基板４０の両側部の上縁近傍からリード線がそれぞれ延設してあり、両リード線の先端には、起動命令たる赤外線光を出射する第１信号用発光素子４１，４１が本体３の上方へ出射する姿勢で連結してある。また、制御用基板４０の両側部であって第１信号用発光素子４１，４１より下側の位置から別のリード線がそれぞれ延設してあり、各リード線の先端には、起動命令たる赤外線光を出射する２対の第２信号用発光素子４２，４２、４２，４２が本体３から離隔する横方向へ出射する姿勢で連結してある。そして、これら第１信号用発光素子４１，４１及び第２信号用発光素子４２，４２、４２，４２は、前述した前ケース３０の両側に設けた光透過性ケース部３５，３５に内装されるようになっている。
【００４７】
このように、前ケース３０の両側に設けた光透過性ケース部３５，３５からそれぞれ、上方及び両横方向へ赤外線光信号を出射するようにしてあるため、広いバスルームにトイレ及びトイレ装置が併設してある場合、一部に赤外線光の反射率が低い部分が存在する場合等であっても、無線でトイレ装置を確実に遠隔操作することができる。
【００４８】
一方、前述した電源用基板６０には、後述する如く、変圧回路、整流回路及び安定化回路等を具備するＡＣ／ＤＣ変換回路が設けてあり、商用交流電源から給電される交流電源電圧から、例えば９Ｖ及び５Ｖの直流電源電圧を生成し、それらを前記制御用基板４０に供給するようになっている。このように、本発明に係るリモコンは商用交流電源を利用するようにしてあるため、電源のメンテナンスが不要であり、複数の客室それぞれにリモコンを配置する場合であっても、リモコンのメンテナンスに要する手間を可及的に低減することができる。
【００４９】
一方、電源用基板６０と前記制御用基板４０との間には、難燃性材料を用いて電源用基板６０と略同じ形状に成型した絶縁カバー５０が介装してある。従って、後ケース７０の収納部７７内奥部に実装された電源用基板６０は、難燃性の絶縁カバー５０によって蓋をした様態で本体３に内蔵されるため、電源用基板６０が過熱した場合であっても、本体３が炎上することが防止され、安全性が高い。
【００５０】
また、このように、制御用基板４０と電源用基板６０とが重積してあるため、リモコンをコンパクトにすることができる。これによって、図２に示した如く、リモコン１の横寸法をトイレのペーパーホルダー４００の横寸法と略同じにすることができ、リモコン１の配設に要する面積を小さくすることができるのに加え、リモコン１の配設領域のデザインを良好にすることもできる。
【００５１】
図５に示した如く、後ケース７０の後面周縁部には、弾性を有する発泡樹脂材を用いて成型した環状のシールパッキン９８が貼着してあり、該シールパッキン９８によって後ケース７０とリモコンを配設する壁との間隙を塞ぐようになっている。また、後ケース７０の前面周縁部には、融着用の環状リブが突設してあり、後ケース７０の収納部７７内に、電源用基板６０、絶縁カバー５０及び制御用基板４０をこの順に収納した後、前ケース３０を後ケース７０のフランジ部７３に当接させ、超音波を印加して環状リブを溶融させ、前ケース３０と後ケース７０とを水密状態に融着させる。そして、前述した如く、前ケース本体３１の第２キートップ３２，３２，…及び第２通光孔３６，３６，…を覆うように表面シート３７を前ケース本体３１に貼着する。
【００５２】
かかる本体３は、後ケース７０に設けたネジ孔７６，７６，７６を挿通させたボルトによってトイレ近傍の壁に埋め込み固定される。そして、図８に示した如く、前ケース３０の切り欠き３４，３４（３４）にそれぞれゴム製舌片状のパッキン８５，８５（８５）を内嵌させるようになっており、これによって、前記各ボルトを介して水が後ケース７０の後側へ浸入することが防止される。
【００５３】
一方、図５に示した如く、後ケース７０の後面には、その下部に商用電源線を接続する端子台９０が配設してあり、該端子台９０の上部から延出させた電源コード９１，９１は、後ケース７０に開設した引き込み孔７５内を通って電源用基板６０に接続してある。この端子台９０は、端子台９０に外嵌した底部開放箱状の端子台カバー９５によってその全体が覆ってあり、端子台９０及び端子台カバー９５は、固定用ネジで後ケース７０にネジ止めしてある。この端子台カバー９５によって、端子台９０に対する防塵・避水効果が奏される。また、端子台カバー９５の一側下縁から、前述した引き込み孔７５（図５参照）を塞止する塞止片９６が、端子台カバー９５の一側と略直交するように延設してあり、引き込み孔７５から後ケース７０内部への塵・水の侵入が防止される。
【００５４】
図９は、図３に示した本体３の後面視部分分解斜視図である。なお、図中、図５に示した各部分に対応する部分には同じ番号を付してある。図９に示した如く、後ケース７０の後面であって収納部７７の一側がわには、端子台９０を取り付ける取付領域７８が設けてあり、該取付領域７８の上方には、端子台９０及び端子台カバー９５上に水滴が落下するのを防止すべく、端子台カバー９５の厚さ寸法より大きい幅寸法を有する帯板状の水よけ屋根部７９が、一端を収納部７７に連通させ、他端を収納部７７から離隔するに従って高さ位置が低くなるように、後ケース７０の後面から延出させてある。この水よけ屋根部７９の上面であって後ケース７０とは反対側の側縁部には、リブが当該側縁部の略全領域に渡って突設してあり、このリブによって水よけ屋根部７９上の水滴がその側縁部から落下することが防止される。
【００５５】
図１０は、図５に示した電源用基板６０及び制御用基板４０の機能ブロック図であり、る。図１０に示した如く、電源用基板６０には、変圧回路、整流回路及び安定化回路等を具備するＡＣ／ＤＣ変換回路６１が搭載してある。ＡＣ／ＤＣ変換回路６１の入力端子には、前述した如く端子台９０を介して商用交流電圧が印加されるようになっており、ＡＣ／ＤＣ変換回路６１は、入力端子に印加された交流電圧を１又は複数の値の直流電圧に変換して出力端子から制御用基板４０へ出力する。本実施例にあっては、ＡＣ／ＤＣ変換回路６１に２つの出力端子が設けてあり、一方の出力端子から５Ｖの直流電圧を、他方の出力端子から９Ｖの直流電圧を出力するようにしてある。
【００５６】
制御用基板４０には、リモコンの動作を制御するＣＰＵ５１が搭載してあり、無線対応のトイレ装置及び有線対応のトイレ装置のいずれをも遠隔操作し得るようにしてある。ＣＰＵ５１には前述した第１タクトスイッチ４３，４３，…及び第２タクトスイッチ４４からオン信号が与えられるようになっており、ＣＰＵ５１は、オン信号が与えられた場合、第１タクトスイッチ４３，４３，…及び第２タクトスイッチ４４の内のどのスイッチから与えられたかを判断し、それが水勢を増減する第１タクトスイッチ４３，４３である場合、増減情報を内部メモリに記憶すると共に、発光中の発光素子４５を消灯して、前述した発光素子４５，４５，…の内の対応する位置の発光素子４５を点灯させる。
【００５７】
また、制御用基板４０には、前述した第１信号用発光素子４１，４１及び第２信号用発光素子４２，４２、４２，４２の発光を制御する発光制御部５３、有線対応のトイレ装置へ便器の水洗浄の起動命令を出力する第１有線通信部５４、及び有線対応のトイレ装置へユーザの水洗浄及び水勢増減等の命令を出力する第２有線通信部５５が設けてあり、更に、便器の水洗浄の命令、ユーザの水洗浄の命令及び水勢増減の命令等、複数の命令をトイレ装置の複数の機種別に対応させた複数のコード、並びに温水温度、便座温度及び水勢等の初期値等が予め登録されたＲＯＭ５２が搭載してある。なお、前述した第１信号用発光素子４１，４１及び第２信号用発光素子４２，４２、４２，４２にはＡＣ／ＤＣ変換回路６１から９Ｖの直流電圧が、また、ＣＰＵ５１にはＡＣ／ＤＣ変換回路６１から５Ｖの直流電圧がそれぞれ印加されるようになっている。
【００５８】
ＣＰＵ５１は、便器の水洗浄を入力する第２タクトスイッチ４４からオン信号が与えられた場合、発光制御部５３に第１信号用発光素子４１，４１及び第２信号用発光素子４２，４２、４２，４２を発光させて便器洗浄命令のコードを送信させると共に、第１有線通信部５４から便器洗浄命令のコードを送信させる。このとき、便器洗浄命令のコードの送信は、複数の機種別コードを伴って行われ、各機種別コードごとに、複数回実行されるようにしてある。これによって、無線及び有線に拘わらず、１つのリモコンで、既設の複数機種のトイレ装置に対応することができる。
【００５９】
また、ＣＰＵ５１は、おしりの水洗浄を開始するための第１タクトスイッチ４３、ビデを開始するための第１タクトスイッチ４３、おしりの水洗浄及びビデを停止するための第１タクトスイッチ４３、おしりの水洗浄及びビデの水勢を増加するための第１タクトスイッチ４３、及びおしりの水洗浄及びビデの水勢を減少させるための第１タクトスイッチ４３からオン信号が与えられた場合、ＲＯＭ５２から所要のコードを読み出し、発光制御部５３に第１信号用発光素子４１，４１及び第２信号用発光素子４２，４２、４２，４２を発光させて、読み出した命令のコードを送信させると共に、第１有線通信部５４から対応する命令のコードを送信させる。
【００６０】
図１１は、本発明に係るリモコンから送信される命令のフォーマット例を説明する説明図であり、図中、（ａ）は、フォーマットの全体構成を示しており、（ｂ）は、フォーマットの一部構成の詳細を示している。図１１（ａ）に示した如く、フォーマットは３９ビットを１フレームとしており、１ビット目から１５ビット目までにカスタムコード部が割り付けてあり、１６ビット目から２３ビット目までにデータコード部が割り付けてあり、２４ビット目から２９ビット目までにスイッチコード部が割り付けてある。
【００６１】
このカスタムコード部には、図１１（ｂ）に示した如く、先頭から５ビットにトイレ装置の機種を示す種別コードが割り付けてあり、次の４ビットにカスタムコードが割り付けてあり、次の１ビットは「０」が割り付けてあり、最後の５ビットに排他的理論和が割り付けてある。
【００６２】
例えば、ＣＰＵ５１は、適宜機種の種別コードになしたカスタムコードに、「大」のデータコード及び「流す」のスイッチコードを付与した命令を３フレーム送信させた後、他宜機種の種別コードになしたカスタムコードに、「大」のデータコード及び「流す」のスイッチコードを付与した命令を８フレーム、合計１１フレーム送信させる。
【００６３】
次に、上述した如きリモコンの取り付けについて説明する。
【００６４】
図１２は、本発明に係るリモコンをユニットバスの壁に取り付けた状態を示す側断面図であり、図１３は、図１２に示したリモコンの取り付け方法を説明する分解斜視図である。なお、両図中、図１から図９に示した部分に対応する部分には同じ番号を付してその説明を省略する。
【００６５】
図１２及び図１３に示した如く、リモコン１をユニットバス壁２００に取り付けるには、ユニットバス壁２００の適宜位置に、リモコン１の本体３の外径より少し小さい内径になした矩形の取付け用開口２０３を開設しておき、ユニットバス壁２００の裏面であって、取付け用開口２０３の両側の外側に拍子木形状の補強部材２１２，２１２を固着させる。この補強部材２１２，２１２に取付け具２１０の取付け板２１１を短冊形状の固定板２１３，２１３を用いて次のように固定する。
【００６６】
取付け板２１１は、取付け用開口２０３の内径と略同じ外径の矩形枠状をなしており、取付け板２１１の上側の２つの隅部及び下側内縁の適宜位置に設けた凸部のネジ孔に、アジャスタボルト２１５，２１５，２１５を羅着させるようになっている。そして、補強部材２１２，２１２に固定板２１３，２１３をそれぞれネジ止めし、取付け板２１１の両側と対応する固定板２１３，２１３とをボルト・ナットによって固着させる。
【００６７】
このようにユニットバス壁２００の裏面に固定した取付け板２１１にアジャスタボルト２１５，２１５，２１５を、取付け用開口２０３内であってユニットバス壁２００の表面から少し突出する高さ位置になるように羅着させる。一方、商用交流の電源線１００を取付け用開口２０３の上部から取り出し、下に凸となるヘアピンを形成させ、この電源線１００をリモコン１の本体３の端子台９０にその下方から接続させる。そして、リモコン１の本体３の収納部７７を取付け用開口２０３内に挿嵌させると共に、本体３のネジ孔７６，７６，７６内にアジャスタボルト２１５，２１５，２１５の先端を挿入し、それぞれナット締めする。
【００６８】
このようにして本体３を固定した後、図８に示した如く、パッキンによってアジャスタボルト２１５，２１５，２１５及びネジ孔７６，７６，７６を水密状態に覆い、本体３に前面カバー２を外嵌して、前面カバー２を本体３にネジ止めし、その後、本体３の裏面周囲とユニットバス壁２００との間の間隙をコーキング剤でコーキングする。
【００６９】
このようなリモコン１にあっては、商用電源によって駆動するため、電源のメンテナンスが不要であり、複数の客室それぞれにリモコン１を配置する場合であっても、リモコン１のメンテナンスに要する手間を可及的に低減することができる。従って、図１２及び図１３に示した如く、リモコン１をユニットバス壁２００に埋め込むことができ、リモコン１の配設対象領域のデザインが良好になる。また、収納部７７を壁２００に埋め込んだので、リモコン１の壁外への露出部分の厚みが略１０ｍｍと、壁に埋め込まない従来のリモコンの半分以下となり、デザインが良好となる。更に、リモコン１と壁２００との間をコーキングするので、リモコン１の盗難防止が図れる。
【００７０】
一方、ユニットバス壁２００にリモコン１を取り付けた場合、併設するシャワーからの飛水がリモコン１の前面に付着する場合があるが、本体３の前面から内部への水の浸入は、図５に示した表面シート３７及びシール部材４６によって防止されており、アジャスタボルト２１５，２１５，２１５から本体３の後面側への水の浸入は、図６に示したパッキン８５によって防止されており、本体３とユニットバス壁２００との間隙から本体３の後面側への水の浸入は、コーキング剤によって防止されているため、かかる飛水によってリモコン１に障害が生じることはない。
【００７１】
一方、ユニットバス壁２００の裏面側で結露が生じる場合があるが、本体３の後側に生じた水滴は、図９に示した如く、水よけ屋根部７９及び端子台カバー９５によって、端子台９０内に流入することが防止される。また、端子台９０の始端側に電源線１００を接続するようにしてあるため、電源線１００の表面に生じた水滴が電源線１００を伝って端子台９０内へ流入することが防止される。加えて、この電源線９０は、前述した如く、下に凸となるヘアピンを形成して端子台９０に接続してあるため、電源線１００を伝う水滴は、かかるヘアピン部分より上に移動することはできずに電源線１００から落下し、端子台９０内へ流入することが更に防止される。
【００７２】
また、図５に示した如く、端子台９０は端子台カバー９５によって覆ってあり、本体３の引き込み孔７５は端子台カバー９５の塞止片９６によって塞止してあるため、引き込み孔７５から本体３内部への塵・水の侵入が防止される。
【００７３】
一方、図１４は、本発明に係るリモコンをトイレ室又は浴室の壁に取り付けた状態を示す側断面図であり、図１５は、図１４に示したリモコンの取り付け方法を説明する斜視図である。なお、両図中、図１４及び図１５に示した部分に対応する部分には同じ番号を付してその説明を省略する。
【００７４】
図１４及び図１５に示した如く、リモコン１を壁２０１に取り付けるには、図１０及び図１３に示した取付け板２１１に代えて、埋込ボックス２２１を用いる以外は前述した取り付け手順と略同じである。取付具２２０の埋込ボックス２２１は、長方形殻体の前面を開放してなり、この前面開口の外径は前述した取付け板２１１の外径と略同じ寸法にしてある。埋込ボックス２２１の前面開口に臨む上縁の両隅及び下縁の適宜位置に設けた凸部のネジ孔に、アジャスタボルト２１５，２１５，２１５を羅着させるようになっている。埋込ボックス２２１の天井面及び両側面には、窓開設部が設けてあり、適宜の窓開設部（本実施例にあっては天井面）を打ち抜いて窓を開設し、そこに電源線１００を挿通させる筒状のソケット２２３の一端を内嵌する。なお、ソケット２２３の他端には、電源線１００の周囲に弾性当接し、電源線１００を伝う水滴を除く返し部２２４が設けてある。
【００７５】
かかる埋込ボックス２２１をＬ字状の支持具２２５によって、壁２０１の裏側に配設してある間柱２０５等に固定する。そして、前同様の手順で、リモコン１を固定した後、本体３の裏面周囲と壁２０１との間の間隙をコーキング剤でコーキングする。
【００７６】
かかるリモコン１にあっては、前同様、電源のメンテナンスが不要となり、複数の客室それぞれにリモコン１を配置する場合であっても、リモコン１のメンテナンスに要する手間を可及的に低減することができと共に、リモコン１の配設対象領域のデザインが良好になる。また、浴室の壁２０１にリモコン１を取り付けた場合であっても、飛水によってリモコン１に障害が生じることがなく、結露・塵等の侵入が防止される。また、収納部７７を壁２０１に埋め込んだので、リモコン１の壁外への露出部分の厚みが略１０ｍｍと、壁に埋め込まない従来のリモコンの半分以下となり、デザインが良好となる。更に、リモコン１と壁２０１との間をコーキングするので、リモコン１の盗難防止が図れる。
【図面の簡単な説明】
【００７７】
【図１】本発明に係るリモートコントローラの正面図である。
【図２】図１に示したリモートコントローラの設置例を示す一部破断側面図である。
【図３】図１に示したリモートコントローラの分解斜視図である。
【図４】図３に示した前面カバーの構成を示す分解斜視図である。
【図５】図３に示した本体の構成を示す分解斜視図である。
【図６】図１に示したリモコンの第１キートップ部分の部分縦断面図である。
【図７】図１に示したリモコンの第３キートップ部分の部分縦断面図である。
【図８】図１に示したリモコンの部分斜視図である。
【図９】図３に示した本体の後面視部分分解斜視図である。
【図１０】図５に示した電源用基板及び制御用基板の機能ブロック図である。
【図１１】本発明に係るリモコンから送信される命令のフォーマット例を説明する説明図である。
【図１２】本発明に係るリモコンをユニットバスの壁に取り付けた状態を示す側断面図である。
【図１３】図１２に示したリモコンの取り付け方法を説明する分解斜視図である。
【図１４】本発明に係るリモコンをトイレ室又は浴室の壁に取り付けた状態を示す側断面図である。
【図１５】図１４に示したリモコンの取り付け方法を説明する分解斜視図である。
【符号の説明】
【００７８】
１    リモコン
２    前面カバー
３    本体
１６    カバーフレーム
１７    第１キートップ
２０    カバー本体
２２    第１通光孔
３０    前ケース
３２    第２キートップ
３３    台座部
３５    光透過性ケース部
３６    第２通光孔
４０    制御用基板
４１    第１信号用発光素子
４２    第２信号用発光素子
４３    第１タクトスイッチ
４４    第２タクトスイッチ
４５    発光素子
６０    電源用基板
７０    後ケース
７１    前側開口部
９１    電源コード
【図１】
2005192047.tif 000003
【図２】
2005192047.tif 000004
【図３】
2005192047.tif 000005
【図４】
2005192047.tif 000006
【図５】
2005192047.tif 000007
【図６】
2005192047.tif 000008
【図７】
2005192047.tif 000009
【図８】
2005192047.tif 000010
【図９】
2005192047.tif 000011
【図１０】
2005192047.tif 000012
【図１１】
2005192047.tif 000013
【図１２】
2005192047.tif 000014
【図１３】
2005192047.tif 000015
【図１４】
2005192047.tif 000016
【図１５】
2005192047.tif 000017